(57)【要約】【課題】適正な剛性を確保しつつ簡素な構成にし、壁パネル同士を接合する接合部材を特殊な構造にする必要のない、浴室ユニットにおける浴室壁の壁パネルを提供する。【解決手段】壁パネル１０は、表面部３０が浴室壁を構成し、表面部の全周端縁部を後方向に直角に折曲して側面部３１が形成された表面鋼板３２と、表面鋼板の表面部と側面部との内方隅部３３に配置された枠部材３４と、表面鋼板の表面部と平行に配置された裏面部３５を有する裏面鋼板３６と、表面鋼板と裏面鋼板との間のスペースＳに収納され表面鋼板と裏面鋼板に直接接触して挟持される矩形状の板部材３７とを備え、板部材を内部に収納したほぼボックス構造をなしている。【選択図】図４
2010106585.tif 000002
【特許請求の範囲】
【請求項１】
複数の壁パネル同士を接合部材で接合することにより浴室ユニットの浴室壁を構成する前記壁パネルであって、
平板状の表面部が前記浴室壁を構成し、この表面部の全周端縁部を後方向に直角に折曲して側面部が形成された表面鋼板と、
この表面鋼板の前記表面部と前記側面部との内方隅部に少なくとも配置された枠部材と、
前記表面鋼板の前記表面部と平行に配置された平板状の裏面部を少なくとも有する裏面鋼板と、
前記表面鋼板と前記裏面鋼板との間のスペースに収納されるとともにこの表面鋼板とこの裏面鋼板に直接接触して挟持される矩形状の板部材とを備え、
この板部材を内部に収納したほぼボックス構造を全体的になしていることを特徴とする浴室ユニットにおける浴室壁の壁パネル。
【請求項２】
請求項１に記載の浴室ユニットにおける浴室壁の壁パネルであって、
前記枠部材は、発泡ポリスチレン，合板または金属製フレームにより形成されていることを特徴とする浴室ユニットにおける浴室壁の壁パネル。
【請求項３】
請求項２に記載の浴室ユニットにおける浴室壁の壁パネルであって、
前記枠部材は、前記発泡ポリスチレンにより形成された第１の枠と、前記合板により形成された第２の枠とを組合わせて構成されていることを特徴とする浴室ユニットにおける浴室壁の壁パネル。
【請求項４】
請求項１，２または３に記載の浴室ユニットにおける浴室壁の壁パネルであって、
前記裏面鋼板は、前記平板状の裏面部と、この裏面部の左右一対の縦方向外周端縁部を前方向または後方向に直角に折曲した折曲部とを有することを特徴とする浴室ユニットにおける浴室壁の壁パネル。
【請求項５】
請求項１，２または３に記載の浴室ユニットにおける浴室壁の壁パネルであって、
前記裏面鋼板は、前記裏面部のみにより構成された平板状をなしていることを特徴とする浴室ユニットにおける浴室壁の壁パネル。
【請求項６】
請求項１ないし５のいずれかの項に記載された壁パネルにより構成された浴室壁を有することを特徴とする浴室ユニット。
【発明の詳細な説明】
【技術分野】
【０００１】
本発明は、浴室ユニットにおける浴室壁を構成するための壁パネルおよびこの壁パネルを有する浴室ユニットに関する。
【背景技術】
【０００２】
特許文献１（実開昭５７−１８１８１４号公報）には、浴室ユニットに使用される壁パネルが記載されている。この壁パネルは、タイル下地材にタイルが配設され、タイル下地材の両側に補強用の縦桟が取付けられている。
隣接する一対の壁パネル同士を連結するときには、各壁パネルの縦桟を突き合わせ、背面側から両縦桟に渡って連結枠を被せ、これにより、壁パネル同士を接合するようになっている。
【特許文献１】実開昭５７−１８１８１４号公報
【発明の開示】
【発明が解決しようとする課題】
【０００３】
特許文献１に記載の壁パネルは、補強用の縦桟は縦方向両側のみに取付けられており、壁パネル全体はボックス構造にはなっていない。その結果、壁パネル全体の強度が低くなりがちであり、適正な剛性を確保するのが困難で変形しやすかった。また、壁パネル同士を接合するための連結枠は、この壁パネル固有の特殊な構造のものを準備する必要があった。
【０００４】
本発明は、このような課題を解決するためになされたもので、必要最小限で適正な剛性を確保しつつ簡素な構成にするとともに、壁パネル同士を接合する接合部材を特殊な構造にする必要のない、浴室ユニットにおける浴室壁の壁パネルおよび浴室ユニットを提供することを目的とする。
【課題を解決するための手段】
【０００５】
上述の目的を達成するため、本発明にかかる浴室ユニットにおける浴室壁の壁パネルは、複数の壁パネル同士を接合部材で接合することにより浴室ユニットの浴室壁を構成する前記壁パネルであって、平板状の表面部が前記浴室壁を構成し、この表面部の全周端縁部を後方向に直角に折曲して側面部が形成された表面鋼板と、この表面鋼板の前記表面部と前記側面部との内方隅部に少なくとも配置された枠部材と、前記表面鋼板の前記表面部と平行に配置された平板状の裏面部を少なくとも有する裏面鋼板と、前記表面鋼板と前記裏面鋼板との間のスペースに収納されるとともにこの表面鋼板とこの裏面鋼板に直接接触して挟持される矩形状の板部材とを備え、この板部材を内部に収納したほぼボックス構造を全体的になしている。
前記枠部材は、発泡ポリスチレン，合板または金属製フレームにより形成されているのが好ましい。また、前記枠部材は、前記発泡ポリスチレンにより形成された第１の枠と、前記合板により形成された第２の枠とを組合わせて構成されているのが好ましい。
前記裏面鋼板は、前記平板状の裏面部と、この裏面部の左右一対の縦方向外周端縁部を前方向または後方向に直角に折曲した折曲部とを有するのが好ましい。
なお、前記裏面鋼板は、前記裏面部のみにより構成された平板状をなしている場合であってもよい。
本発明にかかる浴室ユニットは、前記壁パネルにより構成された浴室壁を有している。
【発明の効果】
【０００６】
本発明にかかる浴室ユニットにおける浴室壁の壁パネルおよび浴室ユニットは、上述のように構成したので、必要最小限で適正な剛性を確保しつつ簡素な構成にするとともに、壁パネル同士を接合する接合部材を特殊な構造にする必要はない。
【発明を実施するための最良の形態】
【０００７】
下記の実施例にかかる壁パネルは、複数の壁パネル同士を接合部材で接合することにより、浴室ユニットの浴室壁を構成している。壁パネルは、平板状の表面部が浴室壁を構成し、この表面部の全周端縁部を後方向に直角に折曲して側面部が形成された表面鋼板と、この表面鋼板の表面部と側面部との内方隅部に少なくとも配置された枠部材と、表面鋼板の表面部と平行に配置された平板状の裏面部を少なくとも有する裏面鋼板と、表面鋼板と裏面鋼板との間のスペースに収納されるとともに表面鋼板と裏面鋼板に直接接触して挟持される矩形状の板部材とを備え、この板部材を内部に収納したほぼボックス構造を全体的になしている。
このように、壁パネルの内方のスペースに板部材を収納して壁パネル全体をほぼボックス構造にすることにより、必要最小限で適正な剛性を確保しつつ簡素な構成にするとともに、壁パネル同士を接合する接合部材を特殊な構造にしなくても、本発明の壁パネル以外の壁パネルに使用される接合部材をそのまま使用するという目的を実現している。
【０００８】
下記の実施例における浴室ユニットは、一戸建て住宅，集合住宅，ホテル等に設置される。
本発明の壁パネルは、上述の構成部材を有する基本的な構成をなしているが、枠部材，裏面鋼板などの構成は上述の基本的な構成を有していることを前提としており、下記の実施例では、そのうちのいくつかの実施態様を例示している。
【実施例】
【０００９】
以下、本発明にかかる実施例を図１ないし図１１を参照して説明する。
図１は、浴室ユニットの内部を示す部分斜視図、図２は、浴室壁の組立て状態を示す部分斜視図、図３は、浴室壁の組立て状態を示す部分拡大斜視図である。
図４ないし図１１は壁パネルの各種実施例を示す図で、図４（Ａ），（Ｂ）は、それぞれ一実施例にかかる壁パネルの平面断面図，側面断面図である。図５（Ａ），（Ｂ）は、それぞれ他の実施例にかかる壁パネルの平面断面図，側面断面図である。
図６（Ａ），（Ｂ）は、それぞれさらに他の実施例にかかる壁パネルの平面断面図，側面断面図である。図７（Ａ），（Ｂ）は、それぞれさらに他の実施例にかかる壁パネルの平面断面図，側面断面図である。図８（Ａ），（Ｂ）は、それぞれさらに他の実施例にかかる壁パネルの平面断面図，側面断面図である。図９（Ａ），（Ｂ）は、それぞれさらに他の実施例にかかる壁パネルの平面断面図，側面断面図である。
図１０は、さらに他の実施例にかかる壁パネルの平面断面図である。図１１は、さらに他の実施例にかかる壁パネルの平面断面図である。
【００１０】
図１ないし図３に示すように、浴室ユニット１は、床面を形成する防水パン２と、防水パン２の外周部に立設された浴室壁３と、浴室壁の３の上部を覆って取付けられた図示しない天井（すなわち、天井パネル）とを有している。
浴室ユニット１の内部には、浴槽４，洗い場５，浴室用品６，シャワー設備７などが設けられている。浴室壁３は、複数の壁パネル１０（または、壁パネル１０ａ〜１０ｇのいずれかの壁パネル。以下同じ。）同士を接合部材１１で接合することにより構成されている。
【００１１】
壁パネル１０，１０ａ〜１０ｇ同士を接合する接合部材は各種構成のものが市販されているが、本実施例では、図２，図３に示す接合部材１１により壁パネル１０，１０ａ〜１０ｇ同士を接合して浴室壁３を組立てるようにしている。
接合部材１１は、隣接する壁パネルの互いに接合する端面に複数配置されて、壁パネル同士を離れないようにしっかりと接合する。
接合部材１１は、隣接する壁パネルの互いに接合する端面の一方には樹脂製の雌ジョイント１２をねじ１４により固定し、壁パネルの他方の端面には樹脂製の雄ジョイント１３をねじ１５により固定している。
雌ジョイント１２には嵌合孔１６が形成され、雄ジョイント１３には突出片１７が突出形成されている。突出片１７を矢印Ｂに示すように移動させることにより、突出片１７が嵌合孔１６に挿入されて、雄ジョイント１３が雌ジョイント１２に係合するとともに離脱しないように拘束されるようになっている。
したがって、矢印Ｂに示すように、雄ジョイント１３を雌ジョイント１２に係合させてこれらジョイント１２，１３を嵌め合わせれば、壁パネル１０，１０ａ〜１０ｇ同士が接合される。
【００１２】
次に、壁パネル１０，１０ａ〜１０ｇについて説明する。
図４ないし図１１に示す壁パネル１０，１０ａ〜１０ｇはそれぞれ、平板状の表面部３０が浴室壁３を構成し、表面部３０の全周端縁部を後方向に直角に折曲して側面部３１が形成された表面鋼板３２と、表面鋼板３２の表面部３０と側面部３１との内方隅部３３に少なくとも配置された枠部材３４（または、枠部材３４ａ，３４ｆ，３４ｇ。以下同じ）と、表面鋼板３２の表面部３０と平行に配置された平板状の裏面部３５を少なくとも有する裏面鋼板３６（または、裏面鋼板３６ｂ，３６ｄ。以下同じ）と、表面鋼板３２と裏面鋼板３６（または、裏面鋼板３６ｂ，３６ｄ。以下同じ）との間のスペースＳに収納されるとともにこの表面鋼板３２とこの裏面鋼板３６，３６ｂ，３６ｄに直接接触して挟持される矩形状の板部材３７とを備え、この板部材３７を内部に収納したほぼボックス構造を全体的になしている。
これにより、壁パネル１０，１０ａ〜１０ｇは、必要最小限で適正な剛性を確保しつつ簡素な構成にするとともに、壁パネル同士を接合する接合部材１１を特殊な構造にする必要がなくなる。
【００１３】
図４ないし図１１に示す枠部材３４，３４ａ，３４ｆ，３４ｇは、発泡ポリスチレン，合板または金属製フレームにより形成されている。
枠部材３４，３４ａ，３４ｆ，３４ｇを、表面鋼板３２の少なくとも内方隅部３３に配置することにより、この枠部材が補強材としての機能を発揮する。表面鋼板３２の側面部３１に接合部材１１をねじ１４，１５などで固定するときに、枠部材３４，３４ａ，３４ｆ，３４ｇが、所定の強度を持った心材となるので、接合部材１１を側面部３１にしっかりと固定することができる。また、枠部材３４，３４ａ，３４ｆ，３４ｇを設けたので、矩形の壁パネル１０，１０ａ〜１０ｇの形状の安定性を確保することができる。
【００１４】
表面鋼板３２の側面部３１には、接合部材１１のねじ１４，１５などを通すための下孔があらかじめ形成されている。本発明の裏面鋼板は、平板状の裏面部３５と、この裏面部３５の左右一対の縦方向外周端縁部を前方向または後方向に直角に折曲した折曲部４０，４０ｂとを有している。
壁パネル１０，１０ａ〜１０ｇを組み立てるときには、表面鋼板３２の側面部３１の下孔に、接合部材１１のねじ１４，１５などを通し、ドリル式ねじ回しなどでねじ１４，１５を回せば、ねじ１４，１５は、枠部材３４，３４ａ，３４ｆ，３４ｇに侵入した後、薄板からなる裏面鋼板の折曲部４０，４０ｂをねじ切ってねじ込まれる。
このように、裏面鋼板の縦方向の２辺を曲げて折曲部４０，４０ｂを形成したので、接合部材１１のねじ１４，１５により、表面鋼板３２と、枠部材３４，３４ａ，３４ｆ，３４ｇと、裏面鋼板３６，３６ｂ，３６ｄとが締結されて、壁パネル１０，１０ａ〜１０ｇの全体が一体化するとともに、接合部材１１がしっかりと固定される。
また、裏面鋼板の縦方向の２辺を曲げることにより、この左右一対の縦方向の折曲部４０，４０ｂが補強材となって裏面鋼板が所定の強度を発揮するので、壁パネルの自重などによる荷重を、効果的に支持することができる。
【００１５】
図４ないし図７，図１０，図１１に示す裏面鋼板３６，３６ｂは、平板状の裏面部３５と、裏面部３５の左右一対の縦方向外周端縁部（縦方向の２辺）と上下一対の横方向外周端縁部（横方向の２辺）を前方向または後方向に直角に折曲した折曲部４０，４０ｂとを有している。
このように、裏面鋼板３６，３６ｂの４辺に折曲部４０，４０ｂを形成したので、裏面鋼板３６，３６ｂ自体の強度をさらに向上させることができる。また、裏面鋼板３６，３６ｂの縦方向の２辺に折曲部４０，４０ｂが形成されているので、上述と同様に、接合部材１１のねじ１４，１５をねじ込むことにより、表面鋼板３２と、枠部材３４，３４ａ，３４ｆ，３４ｇと、裏面鋼板３６，３６ｂ，３６ｄとが締結されて、壁パネル１０，１０ａ〜１０ｇの全体が一体化するとともに、接合部材１１がしっかりと固定される。
【００１６】
本発明の浴室ユニット１は、上述の各種実施例にかかる壁パネル１０，１０ａ〜１０ｇにより構成された浴室壁３を有している。その結果、浴室壁３が必要最小限で適正な剛性を有するとともに簡素な構成にすることができる。
また、本発明以外の壁パネル同士を接合するのに使用される接合部材（たとえば、図２，図３に示す接合部材１１）をそのまま流用して使用することができるので、特殊な構造を有する専用の接合部材を準備する必要はない。
【００１７】
次に、壁パネル１０，１０ａ〜１０ｇの各構成について順次説明する。
壁パネル１０，１０ａ〜１０ｇにおける表面鋼板３２の表面部３０は、浴室ユニット１の室内に露出するので仕上げ加工が行なわれて意匠性を確保している。側面部３１は、表面部３０の全周端縁部を後方向に直角に折曲して形成されている。
表面鋼板３２は、全体が一体的に形成されて後方向のみが開いた防水構造をなしている。その結果、壁パネル１０，１０ａ〜１０ｇは、浴室ユニット１内の水滴や湿気を浴室ユニット１の外部に対して遮断することができる。
壁パネル１０，１０ａ〜１０ｇにおける板部材３７は、厚みｔ＝５.５mmの合板が使用されている。なお、板部材３７の板厚は前記寸法以外であってもよく、また、木製または合成樹脂製の単板であってもよい。
【００１８】
図４（Ａ），（Ｂ）に示す壁パネル１０において、枠部材３４は、発泡ポリスチレンを加工することにより、一対の縦部材と一対の横部材とを組み合わせて（または、接着剤により一体的に）形成されている。
裏面鋼板３６は、裏面部３５と、裏面部３５の左右一対の縦方向外周端縁部と上下一対の横方向外周端縁部との両方（すなわち、４辺）を後方向に直角に折曲した折曲部４０とを有して、全体が一体構造をなしている。こうして裏面鋼板３６の４辺を曲げることにより、裏面鋼板３６は所定の強度を発揮するので、壁パネル１０は適正な剛性を確保することができる。
【００１９】
図５（Ａ），（Ｂ）に示す壁パネル１０ａにおいて、枠部材３４ａは、厚みｔ1＝５.５mmの合板により形成されている。枠部材３４ａを、合板製にすることにより発泡ポリスチレンと比べてその強度が向上する。
また、板部材３７を形成するときに発生する端材を枠部材３４ａとして再利用することができるので、端材などの廃棄物を減らすことができ、環境にとっても良好である。
表面鋼板３２，板部材３７および裏面鋼板３６は、図４（Ａ），（Ｂ）に示す壁パネル１０と同一であるので、壁パネル１０ａは、壁パネル１０と同じ作用効果を奏する。
【００２０】
図６（Ａ），（Ｂ）に示す壁パネル１０ｂにおいて、裏面鋼板３６ｂは、裏面部３５と、裏面部３５の左右一対の縦方向の外周端縁部と上下一対の横方向外周端縁部との両方（すなわち、４辺）を前方向に直角に折曲した折曲部４０ｂとを有して、全体が一体構造をなしている。このように裏面鋼板３６の４辺を曲げることにより、裏面鋼板３６ｂは所定の強度を発揮するので、壁パネル１０ｂは適正な剛性を確保することができる。
折曲部４０ｂは、板部材３７と枠部材３４との間の隙間に挿入される。その結果、折曲部４０ｂは外部から見えなくなるので、壁パネル１０ｂ自体の見栄えがよくなって意匠性に優れる。
表面鋼板３２，枠部材３４および板部材３７は、図４（Ａ），（Ｂ）に示す壁パネル１０と同一であるので、壁パネル１０ｂは、壁パネル１０と同じ作用効果を奏する。
【００２１】
図７（Ａ），（Ｂ）に示す壁パネル１０ｃでは、枠部材３４ａを、図５（Ａ），（Ｂ）に示す壁パネル１０ａの枠部材３４ａと同じように合板により形成している。これにより壁パネル１０ｃは、壁パネル１０ａと同じ作用効果を奏する。
また、表面鋼板３２，板部材３７および裏面鋼板３６ｂは、図６（Ａ），（Ｂ）に示す壁パネル１０ｂと同一なので、壁パネル１０ｃは、壁パネル１０ｂと同じ作用効果を奏する。
【００２２】
図８（Ａ），（Ｂ）に示す壁パネル１０ｄにおいて、裏面鋼板３６ｄは、裏面部３５のみにより構成された平板状をなしている。この裏面鋼板３６ｄは、それ自体は強度的に低いが、必要最小限の強度を有している。この場合には、鋼板を切断すればこれを裏面鋼板３６ｄとしてそのまま使用することができるので、鋼板を折曲する工程が不要になり、壁パネル１０ｄの製造工程が簡素になる。
表面鋼板３２，枠部材３４および板部材３７は、図４（Ａ），（Ｂ）に示す壁パネル１０と同一であるので、壁パネル１０ｄは、壁パネル１０と同じ作用効果を奏する。
【００２３】
図９（Ａ），（Ｂ）に示す壁パネル１０ｅでは、枠部材３４ａを、図５（Ａ），（Ｂ）に示す壁パネル１０ａの枠部材３４ａと同じように合板により形成しているので、壁パネル１０ｅは、壁パネル１０ａと同じ作用効果を奏する。
また、表面鋼板３２，板部材３７および裏面鋼板３６ｄは、図８（Ａ），（Ｂ）に示す壁パネル１０ｄと同一であるので、壁パネル１０ｅは、壁パネル１０ｄと同じ作用効果を奏する。
【００２４】
図１０に示す壁パネル１０ｆでは、枠部材３４ｆは金属製フレームにより形成されている。金属製フレームからなる枠部材３４ｆは、鉄またはアルミニウムなど金属により、断面中空矩形の一対の縦部材と一対の横部材とを組み合わせて（または、溶接などにより一体的に）形成されている。これにより、枠部材３４ｆの強度が向上するので、壁パネル１０ｆ全体の剛性が向上して変形しにくくなる。
表面鋼板３２，板部材３７および裏面鋼板３６は、図４（Ａ），（Ｂ）に示す壁パネル１０と同一であるので、壁パネル１０ｆは、壁パネル１０と同じ作用効果を奏する。
【００２５】
図１１に示す壁パネル１０ｇにおいて、枠部材３４ｇは、発泡ポリスチレンにより形成された第１の枠３８と、合板により形成された第２の枠３９とを組合わせて構成されている。
第２の枠３９は、合板なので形成が容易なように切断面は矩形になっている。第１の枠３８は、発泡ポリスチレン製で形成が容易なので、第２の枠３９の二つの面に密着するように、断面Ｌ字形の異形になっている。
第１の枠３８と第２の枠３９とを組み合わせて枠部材３４ｇを構成したので、枠部材３４ｇは、その部品点数は増えるが全体の強度が向上して壁パネル１０ｇ全体の剛性を高くすることができる。
また、合板製の第２の枠３９は耐湿性と意匠性に劣るが、この第２の枠３９の二面を発泡ポリスチレン製の第１の枠３８でカバーしているので、枠部材３４ｇの耐湿性と意匠性を向上させることができる。すなわち、合板製の第２の枠３９の耐湿性，意匠性の弱点を、発泡ポリスチレン製の第１の枠３８が補ってこれらの弱点を解消している。
表面鋼板３２，板部材３７および裏面鋼板３６は、図４（Ａ），（Ｂ）に示す壁パネル１０と同一であるので、壁パネル１０ｇは、壁パネル１０と同じ作用効果を奏する。
【００２６】
なお、上述の壁パネル１０，１０ａ，１０ｂ，１０ｃ，１０ｆ，１０ｇにおいて、裏面鋼板３６ｂ，３６に要求される強度が若干低くてもよい場合には、裏面部３５の上下一対の横方向外周端縁部のところで切断して、上下一対の横方向外周端縁部には折曲部を設けず、左右一対の縦方向外周端縁部のみ（すなわち、２辺）を前方向（または、後方向）に折曲して、左右の折曲部４０ｂ，４０のみを設けた場合であってもよい。
このように、裏面鋼板３６ｂ，３６の２辺のみを曲げる場合でも、左右の折曲部４０ｂ，４０が補強材となって裏面鋼板３６ｂ，３６が所定の強度を発揮するので、壁パネル１０，１０ａ，１０ｂ，１０ｃ，１０ｆ，１０ｇの自重などによる荷重を、効果的に支持することができる。
【００２７】
本発明の壁パネル１０，１０ａ〜１０ｇは、パネルとしての機能を発揮するための必要最小限の部材からなる簡素な構成でありながら、適正な剛性を確保することができ、また、他の種類の壁パネルで使用している接合部材をそのまま流用して、本発明の壁パネル同士を接合することができ、接合部材の準備が容易である。
【００２８】
以上、本発明の実施例を説明したが、本発明は上述の実施例に限定されるものではなく、本発明の要旨の範囲で種々の変形，付加などが可能である。
なお、各図中同一符号は同一または相当部分を示す。
【産業上の利用可能性】
【００２９】
本発明は、一戸建て住宅，集合住宅，ホテルなど建物に設置される浴室ユニットに適用可能である。
【図面の簡単な説明】
【００３０】
【図１】図１ないし図１１は本発明の実施例を示す図で、図１は、浴室ユニットの内部を示す部分斜視図である。
【図２】浴室壁の組立て状態を示す部分斜視図である。
【図３】浴室壁の組立て状態を示す部分拡大斜視図である。
【図４】図４ないし図１１は壁パネルの各種実施例を示す図で、図４（Ａ），（Ｂ）は、それぞれ一実施例にかかる壁パネルの平面断面図，側面断面図である。
【図５】図５（Ａ），（Ｂ）は、それぞれ他の実施例にかかる壁パネルの平面断面図，側面断面図である。
【図６】図６（Ａ），（Ｂ）は、それぞれさらに他の実施例にかかる壁パネルの平面断面図，側面断面図である。
【図７】図７（Ａ），（Ｂ）は、それぞれさらに他の実施例にかかる壁パネルの平面断面図，側面断面図である。
【図８】図８（Ａ），（Ｂ）は、それぞれさらに他の実施例にかかる壁パネルの平面断面図，側面断面図である。
【図９】図９（Ａ），（Ｂ）は、それぞれさらに他の実施例にかかる壁パネルの平面断面図，側面断面図である。
【図１０】さらに他の実施例にかかる壁パネルの平面断面図である。
【図１１】さらに他の実施例にかかる壁パネルの平面断面図である。
【符号の説明】
【００３１】
１      浴室ユニット
３      浴室壁
１０，１０ａ〜１０ｇ  壁パネル
１１    接合部材
３０    表面部
３１    側面部
３２    表面鋼板
３３    内方隅部
３４，３４ａ，３４ｆ，３４ｇ  枠部材
３５    裏面部
３６，３６ｂ，３６ｄ  裏面鋼板
３７    板部材
３８    第１の枠
３９    第２の枠
４０，４０ｂ  折曲部
Ｓ      スペース
【図１】
2010106585.tif 000003
【図２】
2010106585.tif 000004
【図３】
2010106585.tif 000005
【図４】
2010106585.tif 000006
【図５】
2010106585.tif 000007
【図６】
2010106585.tif 000008
【図７】
2010106585.tif 000009
【図８】
2010106585.tif 000010
【図９】
2010106585.tif 000011
【図１０】
2010106585.tif 000012
【図１１】
2010106585.tif 000013